(57)【特許請求の範囲】
【請求項１】
送信装置から送信される画像に関するデータ信号を処理し、該データ信号を表示装置に出力する画像処理装置であって、
前記データ信号に基づいて、前記データ信号が示す各ピクセルの輝度値をそれぞれ算出する輝度値算出部と、
前記データ信号に基づいて、前記データ信号が示す各ピクセルの前記表示装置における所定のフレームにおける位置情報を生成する位置情報生成部と、
所定の領域に対して所定の画像が占める割合である所定の塗りつぶし率を算出する塗りつぶし率算出部と、
前記所定の塗りつぶし率と前記ピクセルの輝度値とに基づいて、該ピクセルの所定の画素係数を決定する係数決定部と、
前記データ信号が示すピクセルの各色成分の色度及び前記位置情報に基づく基準補正量と、前記所定の画素係数とに基づいて補正量を決定する補正量決定部と、
前記データ信号が示すピクセルの各色成分の色度を前記補正量に従って補正することにより補正データ信号を生成し、出力する演算部と、
を備え、
前記塗りつぶし率算出部は、前記所定のフレームにおける複数の分割領域のそれぞれについて、前記ピクセル群の輝度値が所定のしきい値以上の前記輝度値を示すピクセルの割合を決定し、前記割合を前記所定の塗りつぶし率として決定し、
前記係数決定部は、複数の前記所定の塗りつぶし率の少なくとも１つに基づいて、前記輝度値が小さいほど前記所定の画素係数が大きく、前記輝度値が大きいほど前記所定の画素係数が小さくなるように、前記所定の画素係数を決定する、
画像処理装置。
【請求項２】
前記塗りつぶし率算出部は、前記各分割領域における前記ピクセル群の輝度値に基づいて、前記各分割領域に対するヒストグラムを算出し、該算出したヒストグラムに基づいて、前記各分割領域における前記ピクセル群のうち所定のしきい値以上の前記輝度値を示すピクセルの割合を決定し、前記割合を前記各分割領域に対する前記所定の塗りつぶし率として決定する、請求項１記載の画像処理装置。
【請求項３】
前記塗りつぶし率算出部は、前記各分割領域を更に分割した各細分割領域におけるピクセル群の輝度値に基づく該各細分割領域に対するヒストグラムに基づいて、前記各細分割領域に対する塗りつぶし率を決定し、該決定した各細分割領域に対する塗りつぶし率のうちの最大値を対応する前記分割領域に対する前記所定の塗りつぶし率として決定する、請求項２記載の画像処理装置。
【請求項４】
前記係数決定部は、前記各分割領域に対する前記所定の塗りつぶし率の大きさに従って、前記各分割領域に対するフレーム係数を決定し、前記フレーム係数及び前記ピクセルの輝度値の大きさに従って、前記所定の画素係数を決定する、請求項１記載の画像処理装置。
【請求項５】
前記係数決定部は、前記フレームにおける前記各分割領域の範囲、及び前記各分割領域を形成する境界の近傍の範囲を定義する境界定義部を含み、
前記係数決定部は、前記ピクセルが属する特定の分割領域を形成する境界の近傍に前記ピクセルが位置しない場合に、前記特定の分割領域に対する前記所定の塗りつぶし係数に基づいて決定される平滑化係数に基づいて、前記所定の画素係数を決定する、請求項１記載の画像処理装置。
【請求項６】
前記係数決定部は、前記ピクセルが前記特定の分割領域を形成する境界の近傍に位置する場合に、前記特定の分割領域及び前記境界を形成する他の分割領域のそれぞれに対する前記所定の塗りつぶし係数に基づく平滑化係数に基づいて、前記所定の画素係数を決定する、請求項５記載の画像処理装置。
【請求項７】
前記各分割領域における輝度むらの有無に関する情報を記憶する輝度むら情報記憶部をさらに備え、
前記係数決定部は、前記輝度むら情報記憶部に記憶された輝度むらの有無に関する情報に基づいて、前記所定の画素係数を決定する、
請求項５記載の画像処理装置。
【請求項８】
前記係数決定部は、前記ピクセルが属する特定の分割領域に対応する前記所定の塗りつぶし率が所定の値未満である場合、前記所定の画素係数を前記補正データ信号及び前記データ信号が同じ信号となるような値に決定する、請求項７記載の画像処理装置。
【請求項９】
前記係数決定部は、前記ピクセルが属する特定の分割領域が輝度むらのない分割領域であり、前記特定の分割領域に隣接し、輝度むらがあり、かつ、対応する塗りつぶし率が所定の値以上である分割領域がない場合、前記所定の画素係数を前記補正データ信号及び前記データ信号が同じ信号となるような値に決定する、請求項８記載の画像処理装置。
【請求項１０】
送信装置から送信される画像に関するデータ信号を処理し、表示装置に出力する画像処理方法であって、
前記データ信号に基づいて、前記データ信号が示す各ピクセルの輝度値をそれぞれ算出することと、
前記データ信号に基づいて、前記データ信号が示す各ピクセルの前記表示装置における所定のフレームにおける位置情報を生成することと、
所定の領域に対して所定の画像が占める割合である所定の塗りつぶし率を算出することと、
前記所定の塗りつぶし率と前記ピクセルの輝度値とに基づいて、該ピクセルの所定の画素係数を決定することと、
前記データ信号が示すピクセルの各色成分の色度及び前記位置情報に基づく基準補正量と、前記所定の画素係数とに基づいて補正量を決定することと、
前記データ信号が示すピクセルの各色成分の色度を前記補正量に従って補正することにより補正データ信号を生成し、前記表示装置に出力することと、を含み、
前記所定の塗りつぶし率を算出することは、
前記所定のフレームにおける複数の分割領域のそれぞれに対して、前記ピクセル群の輝度値が所定のしきい値以上の前記輝度値を示すピクセルの割合を決定し、前記割合を前記所定の塗りつぶし率として決定し、
前記所定の画素係数を決定することは、複数の前記所定の塗りつぶし率の少なくとも１つに基づいて、前記輝度値が小さいほど前記所定の画素係数が大きく、前記輝度値が大きいほど前記所定の画素係数が小さくなるように、前記所定の画素係数を決定することを含む、
画像処理方法。
【請求項１１】
前記所定の画素係数を決定することは、前記ピクセルが属する特定の前記分割領域を形成する境界の近傍に前記ピクセルが位置しない場合、前記特定の前記分割領域に対する前記所定の塗りつぶし率に基づいて決定される平滑化係数に基づいて、前記所定の画素係数を決定することを含む、請求項１０記載の画像処理方法。
【請求項１２】
前記所定の画素係数を決定することは、前記ピクセルが属する特定の前記分割領域を形成する境界の近傍に前記ピクセルが位置する場合、前記特定の前記分割領域及び前記境界を決定する他の前記分割領域のそれぞれに対する前記所定の塗りつぶし率に基づく平滑化係数に基づいて、前記所定の画素係数を決定することを含む、請求項１０記載の画像処理方法。
【請求項１３】
前記所定の画素係数を決定することは、
前記ピクセルが属する特定の前記分割領域が輝度むらのある前記分割領域であるか否かを判断することと、
前記特定の分割領域が輝度むらのある前記分割領域でないと判断する場合、前記特定の分割領域に隣接し、輝度むらがあり、かつ、前記所定の塗りつぶし率が所定の値以上である前記分割領域があるか否かを判断し、前記特定の分割領域に隣接し、輝度むらがあり、かつ、対応する前記所定の塗りつぶし率が所定の値以上である前記分割領域がないと判断する場合、前記所定の画素係数を前記補正データ信号及び前記データ信号が同じ信号となるような値に決定することと、を含む、
請求項１０記載の画像処理方法。
【請求項１４】
前記所定の画素係数を決定することは、前記特定の前記分割領域に対応する前記所定の塗りつぶし率が所定の値未満であるか否かを判断し、前記特定の前記分割領域に対応する前記所定の塗りつぶし率が所定の値未満であると判断する場合、前記所定の画素係数を前記補正データ信号及び前記データ信号が同じ信号となるような値に決定することをさらに含む、請求項１３記載の画像処理方法。
【発明の詳細な説明】
【技術分野】
【０００１】
本発明は、画像処理装置及び画像処理方法に関し、特に、表示パネルに表示されるべき画像の輝度むらや色むらを補正する画像処理装置及び画像処理方法に関する。
【背景技術】
【０００２】
液晶パネルや有機エレクトロルミネッセンスパネルといった表示パネルを備える表示装置は、外部から供給される画像信号乃至はビデオ信号を受け、該画像信号に基づく画像乃至は映像を表示パネルに表示する。このような表示パネルは、典型的には、数百万ピクセルからなり、非常に精細な製造技術によって製造されるが、現実問題として、いわゆる製造ばらつき（例えば液晶材料の厚さの不均一性や電圧印加時の動作特性のばらつき等）により、製造された表示パネルに輝度むらや色むらが生じてしまうことは避けられない。
【０００３】
このため、表示装置の輝度むらの特性を予め評価して補正データを作成し、これをルックアップテーブルに記憶しておき、表示パネルに出力すべき画像信号が示す各ピクセルの輝度値に対して、該補正データを適用することによって、表示される画像の輝度むらや色むらを補正することが一般に行われている。
【０００４】
例えば、下記特許文献１に開示される表示装置の輝度値の調整方法では、表示装置の表示画像の輝度値を測定し、表示画像を複数の領域に分割した各画像領域に対応する測定された輝度値を第１記録手段に記録し、測定された輝度値に基づいて設定される目標輝度値に輝度値を補正するための輝度値補正量、及び輝度値補正量に対応する階調値の補正係数の関係を第２記録手段に記録し、輝度値補正量及び階調値の補正係数に基づいて、表示画像の階調値を画像領域ごとに補正している。
【０００５】
また、上述した輝度値の調整方法に関連して、画像信号の輝度値の情報に基づいて画像の所定の領域における輝度の分布を評価して、該画像の輝度値を補正することによって、画像の輪郭補正を行う技術が知られている。
【０００６】
例えば、下記特許文献２に開示される画像表示装置は、入力画像信号をスケーリング処理する画像信号処理部と、スケーリング処理された画像信号に対し輪郭強調処理する画像輪郭補正部と、輪郭強調処理された画像信号に基づく画像を表示する表示部とを備える。該画像表示装置は、該画像輪郭補正部によって、該表示部を構成する一つの画素を中心とする水平及び垂直両方向に一定の拡がりを有する所定エリア内における輝度値情報に基づき、強調度合いを示す係数を選択することによって、輪郭強調処理を行っている。
【先行技術文献】
【特許文献】
【０００７】
【特許文献１】特開２００７−１１４４２７号公報
【特許文献２】特開２００８−１９７４３７号公報
【発明の概要】
【発明が解決しようとする課題】
【０００８】
上述した特許文献１に開示されるような表示装置の輝度値の調整方法は、輝度むらが目立つか否かを考慮することなく輝度値の補正を行うため、本来は輝度値の補正が望ましくない画像を示す画像信号に対しても一律に輝度値の補正を行っていた。この結果、必要以上に表示パネルの輝度に関する表現範囲の低下を招いてしまうという問題があった。
【０００９】
また、上述した特許文献２に開示されるような画像表示装置は、画像信号の輝度値情報に基づいて、画像の輝度値を補正することによって画像の輪郭強調処理をするものであって、画像表示装置が有する輝度むらについては、何ら考慮されていなかった。
【００１０】
そこで、本発明は、表示されるべき画像の輝度むらが目立つか否かを考慮しながら、各ピクセルの輝度値を補正することができる画像処理装置及び画像処理方法を提供することを目的とする。
【００１１】
より具体的には、本発明は、表示されるべき画像の特徴（例えば、塗りつぶし画像等）に基づいて各ピクセルの各色成分の色度に対する補正量を決定し、該決定した補正量に基づいて、該ピクセルの各色成分の色度を補正することによって該ピクセルの輝度値を補正することができる画像処理装置及び画像処理方法を提供することを目的とする。
【課題を解決するための手段】
【００１２】
上記課題を解決するための本発明は、以下の技術的特徴乃至は発明特定事項を含んで構成される。
【００１３】
すなわち、ある観点に従う本発明は、送信装置から送信される画像に関するデータ信号を処理し、該データ信号を表示装置に出力する画像処理装置である。前記画像処理装置は、前記データ信号に基づいて、前記データ信号が示す各ピクセルの輝度値をそれぞれ算出する輝度値算出部と、前記データ信号に基づいて、前記データ信号が示す各ピクセルの前記表示装置における所定のフレームにおける位置情報を生成する位置情報生成部と、前記所定のフレームにおける複数の分割領域のそれぞれに対して、前記位置情報及び前記輝度値に基づいて、所定の塗りつぶし率を算出する塗りつぶし率算出部と、複数の前記所定の塗りつぶし率の少なくとも１つと前記ピクセルの輝度値とに基づいて、該ピクセルの所定の画素係数を決定する係数決定部と、前記データ信号が示すピクセルの各色成分の色度及び前記位置情報基準補正量と、前記所定の画素係数とに基づいて補正量を決定する補正量決定部と、前記データ信号が示すピクセルの各色成分の色度を前記補正量に従って補正することにより補正データ信号を生成し、出力する演算部と、を備え得る。
【００１４】
これにより、画像処理装置は、画像の特徴（例えば塗りつぶし画像及び／又はその状態）に基づいて、表示されるべき各ピクセルの輝度値に対する補正量を決定し、該決定した補正量に基づいて、該ピクセルの輝度値を補正することができるようになる。
【００１５】
ここで、前記塗りつぶし率算出部は、前記各分割領域における前記ピクセル群の輝度値に基づいて、前記各分割領域に対するヒストグラムを算出し、該算出したヒストグラムに基づいて、前記各分割領域における前記ピクセル群のうち所定のしきい値以上の前記輝度値を示すピクセルの割合を決定し、前記割合を前記各分割領域に対する前記所定の塗りつぶし率として決定し得る。
【００１６】
これにより、画像処理装置は、ピクセル群のうち所定のしきい値以上の輝度値を示すピクセルの割合である所定の塗りつぶし率に基づいて、表示されるべき各ピクセルの各色成分の色度に対する補正量を決定し、該決定した補正量に基づいて、該ピクセルの各色成分の色度を補正することによって、該ピクセルの輝度値を補正することができるようになる。
【００１７】
さらに、前記塗りつぶし率算出部は、前記各分割領域を分割した前記各細分割領域におけるピクセル群の輝度値に基づく該各細分割領域に対するヒストグラムに基づいて、前記各細分割領域に対する塗りつぶし率を決定し、該決定した各細分割領域に対する塗りつぶし率のうちの最大値を対応する前記分割領域の前記所定の塗りつぶし率として決定し得る。
【００１８】
これにより、画像処理装置は、各分割領域を分割した各細分割領域に対する塗りつぶし率を決定し、該決定した各細分割領域に対する塗りつぶし率に基づいて、各分割領域に対する所定の塗りつぶし率を決定するため、より高精度に表示されるべき各ピクセルの各色成分の色度に対する補正量を決定し、該決定した補正量に基づいて、該ピクセルの各色成分の色度を補正することによって、該ピクセルの輝度値を補正することができるようになる。
【００１９】
また、前記係数決定部は、前記各分割領域に対する所定の塗りつぶし率の大きさに従って、前記各分割領域に対するフレーム係数を決定し、前記フレーム係数及び前記ピクセルの輝度値の大きさに従って、前記所定の画素係数を決定し得る。
【００２０】
これにより、画像処理装置は、塗りつぶし率の大きさに従うフレーム係数と、ピクセルの輝度値の大きさとに従って、所定の画素係数を決定することができるようになる。
【００２１】
さらに、前記係数決定部は、前記フレームにおける前記各分割領域の範囲、及び前記各分割領域を形成する境界の近傍の範囲を定義する境界定義部を含み、前記係数決定部は、前記ピクセルが属する特定の分割領域を形成する境界の近傍に前記ピクセルが位置しない場合に、前記特定の分割領域に対する前記所定の塗りつぶし係数に基づいて決定される平滑化係数に基づいて、前記所定の画素係数を決定し得る。
【００２２】
これにより、画像処理装置は、ピクセルが特定の分割領域を形成する境界の近傍に位置するか否かに基づいた画素係数に従って、各ピクセルの各色成分の色度に対する補正量を決定し、該決定した補正量に基づいて、該ピクセルの各色成分の色度を補正することによって、該ピクセルの輝度値を補正することができるようになる。
【００２３】
また、前記係数決定部は、前記ピクセルが前記特定の分割領域を形成する境界の近傍に位置する場合に、前記特定の分割領域及び前記境界を形成する他の分割領域のそれぞれに対する前記所定の塗りつぶし係数に基づく平滑化係数に基づいて、前記所定の画素係数を決定し得る。
【００２４】
これにより、画像処理装置は、特定の分割領域及び境界を形成する他の分割領域のそれぞれに対する所定の塗りつぶし係数に基づく平滑化係数に基づいて所定の画素係数を決定するので、隣接する分割領域どうしで補正量が異なることによって分割領域の境界が目立ってしまうという不具合を防止することができるようになる。
【００２５】
また、前記画像処理装置は、前記各分割領域における輝度むらの有無に関する情報を記憶する輝度むら情報記憶部をさらに備え、前記係数決定部は、前記輝度むら情報記憶部に記憶された輝度むらの有無に関する情報に基づいて、前記所定の画素係数を決定し得る。
【００２６】
これにより、画像処理装置は、画像の特徴（例えば塗りつぶし画像であるか否か）と、画像処理装置の輝度むらの特性とに基づいて、画像の補正を行うか否かを決定することができるようになる。
【００２７】
さらに、前記係数決定部は、前記ピクセルが属する特定の分割領域に対応する塗りつぶし率が所定の値未満である場合、前記所定の画素係数を前記補正データ信号及び前記データ信号が同じ信号となるような値に決定し得る。
【００２８】
これにより、画像処理装置は、塗りつぶし率が所定の値未満である分割領域に対しては補正を行わないように制御することができる。
【００２９】
さらにまた、前記係数決定部は、前記ピクセルが属する特定の分割領域が輝度むらのない分割領域であり、前記特定の分割領域に隣接し、輝度むらがあり、かつ、対応する塗りつぶし率が所定の値以上である分割領域がない場合、前記所定の画素係数を前記補正データ信号及び前記データ信号が同じ信号となるような値に決定し得る。
【００３０】
これにより、画像処理装置は、輝度むらのある分割領域が隣接しない分割領域や、塗りつぶされている分割領域が隣接しない分割領域に対しては補正を行わないように制御することができるようになる。
【００３１】
さらに、別の観点に従う本発明は、送信装置から送信される画像に関するデータ信号を処理する画像処理方法である。前記画像処理方法は、前記データ信号に基づいて、前記データ信号が示す各ピクセルの輝度値をそれぞれ算出することと、前記表示装置における所定のフレームにおける複数の分割領域のそれぞれに対して、前記輝度値に基づいて、所定の塗りつぶし率を算出することと、複数の前記所定の塗りつぶし率の少なくとも１つと前記ピクセルの輝度値とに基づいて、該ピクセルの所定の画素係数を決定することと、前記データ信号に基づく基準補正量と前記所定の画素係数とに基づいて補正量を決定することと、前記データ信号が示すピクセルの各色成分の色度を前記補正量に従って補正することにより補正データ信号を生成し、前記表示装置に出力することと、を含み得る。
【００３２】
これにより、画像処理装置は、画像の特徴（例えば塗りつぶし画像及び／又はその状態）に基づいて、表示されるべき各ピクセルの各色成分の色度に対する補正量を決定し、該決定した補正量に基づいて、該ピクセルの各色成分の色度を補正することによって、該ピクセルの輝度値を補正することができるようになる。
【００３３】
ここで、前記所定の画素係数を決定することは、前記ピクセルが属する特定の前記分割領域を形成する境界の近傍に前記ピクセルが位置しない場合、前記特定の前記分割領域に対する前記所定の塗りつぶし率に基づいて決定される平滑化係数に基づいて、前記所定の画素係数を決定することを含み得る。
【００３４】
これにより、画像処理装置は、ピクセルが属する特定の分割領域に対応する所定の塗りつぶし率に基づく平滑化係数により画素係数を決定するため、表示されるべき各ピクセルの各色成分の色度に対する補正量をさらに高精度に決定し、該決定した補正量に基づいて、ピクセルの各色成分の色度を補正することによって、該ピクセルの輝度値を補正することができるようになる。
【００３５】
また、前記所定の画素係数を決定することは、前記ピクセルが属する特定の前記分割領域を形成する境界の近傍に前記ピクセルが位置する場合、前記特定の前記分割領域及び前記境界を決定する他の分割領域のそれぞれに対する前記所定の塗りつぶし率に基づく平滑化係数に基づいて、前記所定の画素係数を決定することを含み得る。
【００３６】
これにより、画像処理装置は、特定の分割領域及び境界を形成する他の分割領域のそれぞれに対する所定の塗りつぶし係数に基づく平滑化係数に基づいて所定の画素係数を決定するので、隣接する分割領域どうしで補正量が異なることによって分割領域の境界が目立ってしまうという不具合を防止することができるようになる。
【００３７】
さらに、前記所定の画素係数を決定することは、前記ピクセルが属する特定の前記分割領域が輝度むらのある前記分割領域であるか否かを判断することと、前記特定の分割領域が輝度むらのある前記分割領域でないと判断する場合、前記特定の分割領域に隣接し、輝度むらがあり、かつ、前記所定の塗りつぶし率が所定の値以上である前記分割領域があるか否かを判断し、前記特定の分割領域に隣接し、輝度むらがあり、かつ、対応する前記所定の塗りつぶし率が所定の値以上である前記分割領域がないと判断する場合、前記所定の画素係数を前記補正データ信号及び前記データ信号が同じ信号となるような値に決定することと、を含み得る。
【００３８】
これにより、画像処理装置は、輝度むらのある分割領域が隣接しない分割領域や、塗りつぶされている分割領域が隣接しない分割領域に対しては補正を行わないように制御することができるようになる。
【００３９】
さらにまた、前記所定の画素係数を決定することは、前記特定の前記分割領域に対応する前記所定の塗りつぶし率が所定の値未満であるか否かを判断し、前記特定の前記分割領域に対応する前記所定の塗りつぶし率が所定の値未満であると判断する場合、前記所定の画素係数を前記補正データ信号及び前記データ信号が同じ信号となるような値に決定することをさらに含み得る。
【００４０】
これにより、画像処理装置は、塗りつぶし率が所定の値未満である分割領域に対しては補正を行わないように制御することができる。
【発明の効果】
【００４１】
本発明によれば、画像処理装置は、表示されるべき画像の輝度むらが目立つか否かを考慮しながら、各ピクセルの輝度値を補正することができるようになる。
【００４２】
より具体的には、本発明によれば、画像処理装置は、画像の特徴（例えば、塗りつぶし画像等）に基づいて、各ピクセルの色各色成分の色度の補正量を決定し、該決定した補正量に基づいて、該ピクセルの輝度値を補正することができるようになる。
【００４３】
本発明の他の技術的特徴、目的、及び作用効果乃至は利点は、添付した図面を参照して説明される以下の実施形態により明らかにされる。
【図面の簡単な説明】
【００４４】
【図１】本発明の一実施形態に係る画像伝送システムの概略構成を示す図である。
【図２】本発明の一実施形態に係る画像処理装置において決定される画像の塗りつぶし率を説明するための図である。
【図３】本発明の一実施形態に係る画像処理装置における各係数の算出方法を説明するための図である。
【図４】本発明の一実施形態に係る画像処理装置の動作を示すフローチャートである。
【図５】本発明の第２の実施形態に係る画像伝送システムの概略構成を示す図である。
【図６】本発明の第２の実施形態に係る画像処理装置において処理されるフレームの分割領域の境界の近傍を説明するための図である。
【図７】本発明の一実施形態に係る画像処理装置における平滑化係数の算出方法を説明するための図である。
【図８】本発明の第２の実施形態における画像処理装置の動作を示すフローチャートである。
【図９】本発明の第３の実施形態に係る画像伝送システムの概略構成を示す図である。
【図１０】本発明の第３の実施形態に係る画像処理装置におけるフレームの画像と補正量との関係を説明するための図である。
【図１１】本発明の第３の実施形態に係る画像処理装置の動作を示すフローチャートである。
【発明を実施するための形態】
【００４５】
次に、本発明の実施の形態について、図面を参照しつつ説明する。以下の図の記載において、同一又は類似の部分には同一又は類似の符号を付して表している。図は、模式的なものであり、必ずしも実際の寸法や比率等とは一致しない。図相互間においても互いの寸法の関係や比率が異なる部分が含まれていることがある。
【００４６】
［第１の実施形態］
図１は、本発明の一実施形態に係る画像伝送システムの概略構成を示す図である。同図に示すように、本実施形態に係る画像伝送システム１００は、送信装置１１０と、受信装置１２０とを含んで構成される。
【００４７】
送信装置１１０は、典型的にはｅＤＰ（embeded Display Port）規格に従うソース機器（例えば、パーソナルコンピュータやセットトップボックス等）であるが、これに限られるものではなく、他の規格、例えばＤＶＩ（Digital Visual Interface）規格等に従うソース機器であり得る。送信装置１１０は、例えばＹＵＶフォーマットやＲＧＢフォーマット等の各種のフォーマットに従って、表示すべき画像の輝度や色度に関する情報、水平同期及び垂直同期に関する情報、及びピクセルクロックを含むデータ信号Ｄを生成し、該データ信号Ｄを受信装置１２０に送信する。以下では、データ信号Ｄは、ＲＧＢフォーマットに従う信号であるものとする。
【００４８】
受信装置１２０は、送信装置１１０に対応するシンク機器（例えば、コンピュータディスプレイやプロジェクタ等）である。受信装置１２０は、送信装置１１０から送信されるデータ信号Ｄに基づいて、補正データ信号Ｄ’を生成し、該補正データ信号Ｄ’に従う画像を表示する。受信装置１２０は、例えば、画像処理装置１３０と表示装置１４０とを含んで構成される。画像処理装置１３０は、例えば、位置情報生成部１３１と、輝度値算出部１３２と、塗りつぶし率算出部１３３と、係数決定部１３４と、基準補正量決定部１３５と、補正部１３６とを含む。また、画像処理装置１３０は、信号の処理タイミングを調整するためのバッファ（図示せず）を含み得る。バッファは、例えば、処理される信号を１フレーム分だけ遅延させて出力する。表示装置１４０は、例えば、液晶素子や有機エレクトロルミネッセンス素子からなる表示パネル備え、画像信号に基づく画像を表示するためのコンポーネントである。
【００４９】
位置情報生成部１３１は、送信装置１１０から送信されるデータ信号Ｄに基づいて、位置信号ｐ（ｘ，ｙ）を生成する。具体的には、位置情報生成部１３１は、データ信号Ｄに含まれる水平同期及び垂直同期に関する情報及びピクセルクロックに基づいて、表示すべきピクセルのフレームにおける位置（水平位置ｘ及び垂直位置ｙ）を特定し、該特定した位置に基づいて、位置信号ｐ（ｘ，ｙ）を生成する。位置情報生成部１３１は、該生成した位置信号ｐ（ｘ，ｙ）を塗りつぶし率算出部１３３に出力するとともに、該位置信号ｐ（ｘ，ｙ）を図示しないバッファを介して基準補正量決定部１３５に出力する。
【００５０】
輝度値算出部１３２は、データ信号Ｄに基づいて、各ピクセルの輝度値Ｂｒを算出する。具体的には、輝度値算出部１３２は、データ信号Ｄが示す各色成分の色度に基づいて、輝度に関する情報を輝度値Ｂｒとして算出する。データ信号ＤがＲＧＢフォーマット以外のフォーマットに従う信号である場合、輝度値算出部１３２は、該信号のフォーマットをＲＧＢフォーマットに変換した後、該変換の結果から得られる各色成分の色度に基づいて、輝度値Ｂｒを算出する。輝度値算出部１３２は、輝度値Ｂｒを塗りつぶし率算出部１３３に出力するとともに、輝度値Ｂｒをバッファ（図示せず）を介して係数決定部１３４に出力する。輝度値Ｂｒは、典型的には、表示装置１４０上に表示されるピクセルの明るさの度合いを示す値である。あるいは、輝度値Ｂｒは、例えば、あるピクセルの各色成分（例えば赤色成分、緑色成分、及び青色成分）の色度に所定の重み係数を乗じて得られる値であっても良い。また、他の例として、輝度値算出部１３２は、ピクセル単位の輝度値Ｂｒの算出に代えて、例えば８×８ピクセルからなるブロック単位で輝度値Ｂｒを算出するように構成されてもよい。
【００５１】
塗りつぶし率算出部１３３は、例えばヒストグラムを用いて、画像の塗りつぶし率Ｆを算出し、決定する。画像の塗りつぶし率Ｆとは、所定の領域に対して所定の画像が占める割合である。例えば、画像の塗りつぶし率Ｆは、表示されるべき１フレーム全体に対して、所定のしきい値ＴＨより高い輝度値Ｂｒを有するピクセル領域が占める割合によって算出される。本実施形態の塗りつぶし率算出部１３３は、表示されるべき画像を含む１フレームを複数の分割領域に分割し、各分割領域における画像部分の輝度値Ｂｒのヒストグラムを求め、各ヒストグラムに基づいて該１フレームに対する画像の塗りつぶし率Ｆを決定している。塗りつぶし率算出部１３３は、例えばヒストグラム作成部１３３１と、塗りつぶし率決定部１３３２とを含んで構成される。
【００５２】
ヒストグラム作成部１３３１は、表示すべき１フレームにおける画像をいくつかの分割領域に分割し、分割領域ごとに輝度値Ｂｒのヒストグラムを作成する。輝度値Ｂｒのヒストグラムは、第１の輝度レベル（例えば輝度値Ｂｒの値が１５０以上１６０未満）におけるピクセルがｎ１個、第２の輝度レベル（例えば輝度値Ｂｒの値が１６０以上１７０未満）におけるピクセルがｎ２個というように、所定の輝度レベルごとにおける対応する輝度値のピクセルの総数を示す。ヒストグラム作成部１３３１は、輝度値算出部１３２において算出される輝度値Ｂｒが更新されるごとに、複数の輝度範囲のそれぞれについて、輝度値Ｂｒがいくつ存在するかをカウントすることによって、位置信号ｐ（ｘ，ｙ）が示すピクセルの位置が属する分割領域における輝度値Ｂｒのヒストグラムを作成する。
【００５３】
塗りつぶし率決定部１３３２は、ヒストグラム作成部１３３１が作成した各分割領域のヒストグラムに基づいて、各分割領域に対応する分割領域ごとの塗りつぶし率Ｆ（ｉ）を算出する（ｉは、各分割領域に関連付けられるインデックスを示す値である。）。さらに、塗りつぶし率決定部１３３２は、該算出した各分割領域に対応する分割領域ごとの塗りつぶし率Ｆ（ｉ）に基づいて、例えば、代表値としての塗りつぶし率Ｆを決定する。塗りつぶし率決定部１３３２は、典型的には、各分割領域に対応する分割領域ごとの塗りつぶし率Ｆ（ｉ）の最大値を塗りつぶし率Ｆとして決定するが、これに限られるものではなく、例えば、最小値や中央値、平均値等を塗りつぶし率Ｆとして決定し得る。
【００５４】
係数決定部１３４は、塗りつぶし率算出部１３３によって決定された塗りつぶし率Ｆに基づいて得られるフレーム係数ｆと、輝度値算出部１３２からバッファ（図示せず）によって遅延されて出力される表示されるべきピクセルの輝度値Ｂｒとに基づいて、後述する基準補正量決定部１３５によって決定される基準補正量αを補正するための画素係数ｇを決定する。つまり、フレーム係数ｆは、フレームにおける画像の塗りつぶし率Ｆの大きさに依存する係数であり、画素係数ｇは、ピクセルの輝度値Ｂｒの大きさに依存する係数である。係数決定部１３４は、例えば、フレーム係数決定部１３４１と、画素係数決定部１３４２とを含んで構成される。
【００５５】
フレーム係数決定部１３４１は、塗りつぶし率算出部１３３によって決定された塗りつぶし率Ｆに基づいて、フレーム係数ｆを決定する。フレーム係数決定部１３４１は、典型的には、塗りつぶし率Ｆの値が大きいほど大きくなり、塗りつぶし率Ｆの値が小さいほど小さくなるように、フレーム係数ｆの値を決定する。なお、フレーム係数ｆの具体的な決定方法に関しては、後述する。
【００５６】
画素係数決定部１３４２は、フレーム係数決定部１３４１が決定したフレーム係数ｆと、表示されるべきピクセルの輝度値Ｂｒとに基づいて、画素係数ｇを決定する。画素係数決定部１３４２は、典型的には、輝度値Ｂｒの値が大きいほど小さくなり、輝度値Ｂｒの値が小さくなるほど大きくなるように、画素係数ｇの値を決定する。なお、画素係数ｇの具体的な決定方法に関しては、後述する。
【００５７】
基準補正量決定部１３５は、例えば、ルックアップテーブルを含んで構成される。該ルックアップテーブルは、表示されるべき画像のピクセルの位置情報と、表示されるべき画像のピクセルの各色成分の色度と、その位置情報に対応する基準補正量αとを関連付けたテーブルである。基準補正量決定部１３５は、該ルックアップテーブルを参照することによって、図示しないバッファによって遅延されて出力される位置信号ｐ（ｘ，ｙ）が示すピクセルに対応する基準補正量αを決定する。基準補正量αとは、例えば既知の方法で予め測定され評価されたピクセルの輝度値の補正量である。
【００５８】
補正部１３６は、基準補正量α及び画素係数ｇに基づいて補正量Δαを決定し、該決定した補正量Δαに従って、データ信号Ｄが示す各色成分の色度を補正することによって、該データ信号Ｄが示す画像の輝度むらを補正する。補正部１３６は、補正量Δαを決定する補正量決定部１３６１と、補正量Δαによってデータ信号Ｄが示す各色成分の色度を補正する演算部１３６２とを含んで構成される。
【００５９】
補正量決定部１３６１は、基準補正量α及び画素係数ｇに基づいて、補正量Δαを決定する。具体的には、補正量決定部１３６１は、基準補正量決定部１３５が決定した基準補正量αに対して、係数決定部１３４が決定した画素係数ｇを例えば乗算することによって、補正量Δαを算出する。
【００６０】
演算部１３６２は、バッファ（図示せず）によって遅延されて出力されるデータ信号Ｄが示す各色成分の色度に対して、補正量決定部１３６１が決定した補正量Δαを例えば加算することによって、各色成分の色度を補正する。演算部１３６２は、該補正の結果を補正データ信号Ｄ’として表示装置１４０に出力する。なお、データ信号ＤがＲＧＢフォーマット以外のフォーマットに従う信号である場合、演算部１３６２は、該信号のフォーマットをＲＧＢフォーマットに変換し、該変換の結果が示す各色成分の色度に対して補正量Δαに基づいて補正を行い、該補正の結果のフォーマットを再び元のフォーマットに変換し、補正データ信号Ｄ’として表示装置１４０に出力する。
【００６１】
なお、画像処理装置１３０は、補正部１３６の後段に、例えば、ガンマ補正を行うガンマ補正部を含んでも良い。また、画像処理装置１３０は、表示装置１４０が液晶パネルである場合、液晶素子の応答速度を高速化するためのオーバードライブ処理を行うオーバードライブ処理部を含んでも良い。
【００６２】
上述したように、表示装置１４０は、例えば、液晶素子や有機エレクトロルミネッセンス素子を含んで構成される。表示装置１４０は、画像処理装置１３０の補正部１３６から出力される補正データ信号Ｄ’に従って例えば表示パネルに画像を表示する。なお、本例において、表示装置１４０は、受信装置１２０内に設けられているが、これに限られるものではなく、受信装置１２０とは別体として設けられても良い。
【００６３】
以上のように構成される画像処理装置１３０は、送信装置１１０から供給されるデータ信号Ｄに基づいて、表示されるべき各ピクセルについて輝度値Ｂｒを算出し、該算出した輝度値Ｂｒに基づいて、表示されるべき画像の塗りつぶし率Ｆを決定する。画像処理装置１３０は、続いて、該ピクセルの輝度値Ｂｒ、該画像の塗りつぶし率Ｆ、及び該ピクセルの位置情報に基づいて、該データ信号Ｄが示す各ピクセルの各色成分の色度の補正量Δαを決定し、該ピクセルの各色成分の色度を補正する。このように、画像処理装置１３０は、画像の特徴（例えば塗りつぶし画像及び／又はその状態）に基づいて、データ信号Ｄが示す表示されるべき各ピクセルの各色成分の色度を補正するため、各ピクセルの輝度値を補正することができる。
【００６４】
図２は、本発明の一実施形態に係る画像処理装置において決定される画像の塗りつぶし率を説明するための図である。具体的には、同図（ａ）は、表示されるべき１フレームにおける画像の輝度値Ｂｒの分布と該フレームを分割した各分割領域との関係を示し、同図（ｂ）は、各分割領域におけるピクセルの輝度値Ｂｒのヒストグラム、分割領域ごとの塗りつぶし率Ｆ（１）乃至Ｆ（４）及びフレーム全体の塗りつぶし率Ｆを示す。
【００６５】
同図（ａ）に示すように、表示されるべき１フレームに対して、例えば、４つの分割領域２０１乃至２０４が定義される。同図（ａ）は、表示されるべき１フレームにおける画像領域２０５が、分割領域２０１乃至２０４にわたっていることを示している。ここで、画像領域２０５は、所定のしきい値ＴＨより高い輝度値Ｂｒを有するピクセルによって構成される領域であり、ユーザによって何らかの輪郭を有する画像として認識され得る。
【００６６】
同図（ｂ）の上段には、分割領域２０１乃至２０４のそれぞれに対して、塗りつぶし率算出部１３３により作成されたヒストグラムの一例が示されている。塗りつぶし率算出部１３３は、作成した各ヒストグラムに基づいて、分割領域２０１乃至２０４のそれぞれの分割領域ごとの塗りつぶし率Ｆ（ｉ）を決定し、さらにフレーム全体の塗りつぶし率Ｆを決定する。また、同図（ｂ）の下段には、分割領域２０１乃至２０４の分割領域ごとの塗りつぶし率Ｆ（１）乃至Ｆ（４）が、それぞれ、０．７、０．１、０．４及び０．２であり、フレーム全体の塗りつぶし率Ｆが０．７であることが示されている。塗りつぶし率Ｆは、例えば、分割領域ごとに決定される分割領域ごとの塗りつぶし率Ｆ（ｉ）のうちの最大値である。
【００６７】
図３は、本発明の一実施形態に係る画像処理装置における各係数の算出方法を説明するための図である。
【００６８】
まず、フレーム係数決定部１３４１は、塗りつぶし率算出部１３３によって決定された塗りつぶし率Ｆに基づいて、下記の＜式１＞に従い、フレーム係数ｆを決定する。
ｆ＝０  （ただし、Ｆ≦Ｆｍｉｎ），２×（Ｆ−Ｆｍｉｎ）  （ただし、Ｆｍｉｎ＜Ｆ＜Ｆｍａｘ），１  （ただし、Ｆｍａｘ≦Ｆ）      …＜式１＞
ここで、Ｆｍｉｎは、塗りつぶし率Ｆの最小基準値であり、Ｆｍａｘは、塗りつぶし率Ｆの最大基準値である。
【００６９】
すなわち、フレーム係数決定部１３４１は、＜式１＞に従って、塗りつぶし率Ｆが最小基準値Ｆｍｉｎ以下であれば、フレーム係数ｆを０に決定する。一方、フレーム係数決定部１３４１は、塗りつぶし率Ｆが最大基準値Ｆｍａｘ以上であれば、フレーム係数ｆを１に決定する。また、フレーム係数決定部１３４１は、塗りつぶし率Ｆが最小基準値Ｆｍｉｎより大きく最大基準値Ｆｍａｘより小さければ、フレーム係数ｆを０より大きく、かつ、１より小さい範囲で塗りつぶし率Ｆに応じた所定の値に決定する。本例では、フレーム係数決定部１３４１は、０から１までの間を線形補間するように、フレーム係数ｆを決定する。あるいは、フレーム係数ｆは、多項式や指数関数、三角関数等、又はこれらの組み合わせを用いて決定されても良い。
【００７０】
次に、画素係数決定部１３４２は、ピクセルの輝度値Ｂｒ及びフレーム係数決定部１３４１が決定したフレーム係数ｆに基づいて、下記の＜式２＞に従い、画素係数ｇを決定する。
ｇ＝１  （ただし、０≦Ｂｒ≦Ｂｒｍｉｎ），（１−ｆ）×（Ｂｒｍａｘ−Ｂｒ）／（Ｂｒｍａｘ−Ｂｒｍｉｎ）＋ｆ  （ただし、Ｂｒｍｉｎ＜Ｂｒ≦Ｂｒｍａｘ），ｆ  （ただし、Ｂｒｍａｘ＜Ｂｒ≦２５５）      …＜式２＞
ここで、Ｂｒｍｉｎは、輝度の最小基準値であり、Ｂｒｍａｘは、輝度の最大基準値である。
【００７１】
すなわち、画素係数決定部１３４２は、輝度値Ｂｒが最小基準値Ｂｒｍｉｎ以下であれば、画素係数ｇを１に決定する。一方、画素係数決定部１３４２は、輝度値Ｂｒが最大基準値Ｂｒｍａｘより大きければ画素係数ｇをフレーム係数ｆの値に決定する。また、画素係数決定部１３４２は、輝度値Ｂｒが最小基準値Ｂｒｍｉｎより大きく最大基準値Ｂｒｍａｘ以下であれば、画素係数ｇの値をフレーム係数ｆより大きく１より小さい範囲で輝度値Ｂｒに応じた所定の値に決定する。本例では、画素係数決定部１３４２は、フレーム係数ｆから１までの間を線形補間するように、画素係数ｇを決定する。あるいは、画素係数ｇは、多項式や指数関数、三角関数等、又はこれらの組み合わせ用いて決定されても良い。
【００７２】
次に、補正量決定部１３６１は、基準補正量決定部１３５から出力される基準補正量α及び画素係数決定部１３４２から出力される画素係数ｇに基づいて、下記の＜式３＞に従い、補正量Δαを決定する。
Δα＝α×ｇ      …＜式３＞
ここで、ｇは、ｆ〜１であり、ｆは、０〜１である。
【００７３】
そして、演算部１３６２は、データ信号Ｄ及び補正量決定部１３６１から出力される補正量Δαに基づいて、下記の＜式４＞に従い、補正データ信号Ｄ’を生成し、出力する。
Ｄ’＝Ｄ＋Δα      …＜式４＞
ここで、Δαは、０〜αである。
【００７４】
以上のように、画像処理装置１３０は、表示されるべきフレームにおける画像の塗りつぶし率Ｆ及びピクセルの輝度値Ｂｒに基づいて、補正量Δαを決定するので、補正量Δαは、塗りつぶし率Ｆが大きいほど大きくなり、塗りつぶし率Ｆが小さいほど小さくなる一方、輝度値Ｂｒが大きいほど小さくなり、輝度値Ｂｒが小さいほど大きくなる。とりわけ、画像処理装置１３０は、塗りつぶし率Ｆが最小基準値Ｆｍｉｎより小さく、輝度値Ｂｒが最大基準値Ｂｒｍａｘより大きい場合、データ信号Ｄのピクセルの各色成分の色度に対して補正を行わずに、そのまま補正データ信号Ｄ’として出力する。したがって、画像の特徴によってはそのピクセルの輝度むらが目立たない場合があり、その場合には、各色成分の色度の補正が行われず（すなわち、補正量Δα＝０）、したがって輝度も変化しないため、画像の輝度の過度な低下を抑制することができ、良好な画像を表示することができるようになる。
【００７５】
図４は、本発明の一実施形態に係る画像処理装置の動作を示すフローチャートである。同図を参照して、画像処理装置１３０は、まず、送信装置１１０から送信される表示されるべき画像の各ピクセルについて、輝度値Ｂｒを算出する（Ｓ４０１）。
【００７６】
次に、画像処理装置１３０は、算出した各ピクセルの輝度値Ｂｒに基づいて、塗りつぶし率Ｆを決定する（Ｓ４０２）。具体的には、画像処理装置１３０は、算出した各ピクセルの輝度値Ｂｒに基づいて、表示されるべき画像を含むフレームの分割領域ごとの輝度値Ｂｒのヒストグラムを生成し、該ヒストグラムに基づいて、各分割領域における分割領域ごとの塗りつぶし率Ｆ（ｉ）を決定し、さらに、該分割領域ごとの塗りつぶし率Ｆ（ｉ）に基づいて、フレーム全体に対する画像の塗りつぶし率Ｆを決定する。
【００７７】
画像処理装置１３０は、次に、決定した塗りつぶし率Ｆに基づいて、フレーム係数ｆを決定し（Ｓ４０３）、さらに、決定したフレーム係数ｆ及びピクセルの輝度値Ｂｒに基づいて、画素係数ｇを決定する（Ｓ４０４）。また、画像処理装置１３０は、決定した画素係数ｇと、位置信号ｐ（ｘ，ｙ）に基づいて決定される基準補正量αとに基づいて、補正量Δαを決定する（Ｓ４０５）。
【００７８】
そして、画像処理装置１３０は、決定した補正量Δαに基づいて、データ信号Ｄに対して補正を行い、補正データ信号Ｄ’を生成し、出力する（Ｓ４０６）。
【００７９】
以上のように、画像処理装置１３０は、表示されるべきフレームの各ピクセルの輝度値Ｂｒに基づいてフレームの塗りつぶし率Ｆを決定し、塗りつぶし率Ｆ及び該ピクセルの輝度値Ｂｒに基づいて画素係数ｇを決定する。続いて、画像処理装置１３０は、該画素係数ｇと、該ピクセルの各色成分の色度及び位置情報に従う基準補正量αとに基づいて、データ信号Ｄが示す該ピクセルの各色成分の色度に対する補正量Δαを決定し、該ピクセルの各色成分の色度の補正を行う。つまり、画像処理装置１３０は、画像の特徴（例えば、塗りつぶし画像等）に基づいて、各ピクセルの各色成分の色度に対する補正量Δαを決定するので、画像の特徴によっては各色成分の色度の補正を行わないように（補正量Δα＝０）制御することができる。
【００８０】
［第２の実施形態］
上述した第１の実施形態は、表示されるべき１フレーム全体に対して１つの塗りつぶし率Ｆを算出し、該算出した塗りつぶし率Ｆに従って、１フレーム全体においてピクセルの各色成分の色度に対する補正量を決定することを特徴としていたが、本実施形態は、表示されるべき１フレーム全体を複数の分割領域に分割し、分割領域のそれぞれに対して塗りつぶし率Ｆを算出し、該算出した塗りつぶし率Ｆに従って、各分割領域においてピクセルの各色成分の色度に対する補正量を決定することを特徴としている。分割領域のそれぞれに対する塗りつぶし率Ｆｄは、例えば、第１の実施形態で述べたように、分割領域をさらに小さく分割した分割領域ごとの塗りつぶし率Ｆｄ（ｉ）に基づいて、決定されても良い。
【００８１】
図５は、本発明の第２の実施形態に係る画像伝送システムの概略構成を示す図である。
同図に示すように、本実施形態の受信装置１２０’は、フレームの分割領域ごとの塗りつぶし率Ｆ１乃至Ｆｎをそれぞれ算出する塗りつぶし率算出部１３３’と、複数の塗りつぶし率Ｆ１乃至Ｆｎに従うフレーム係数ｆ１乃至ｆｎを平滑化した後、基準補正量αに対する画素係数ｇを決定する係数決定部１３４’とを含む。なお、同図では、第１の実施形態と同じ構成要素については、同じ符号が付され、したがって、その説明を適宜省略する。
【００８２】
位置情報生成部１３１は、上述したように、送信装置１１０から送信されるデータ信号Ｄに基づいて、位置信号ｐ（ｘ，ｙ）を生成し、本実施形態では、生成した位置信号ｐ（ｘ，ｙ）を塗りつぶし率算出部１３３’に出力するとともに、係数決定部１３４’に出力する。なお、係数決定部１３４’に対する位置信号ｐ（ｘ，ｙ）は、塗りつぶし率算出部１３３’の処理タイミングに同期するようにバッファ（図示せず）によって遅延され、係数決定部１３４‘に入力され得る。
【００８３】
塗りつぶし率算出部１３３’は、複数の分割領域のそれぞれに対応するように設けられた複数のヒストグラム作成部１３３１（１）’乃至１３３１（ｎ）’及び複数の塗りつぶし率決定部１３３２（１）乃至１３３２（ｎ）を含む。このため、塗りつぶし率算出部１３３’は、位置信号ｐ（ｘ，ｙ）が示すピクセルがいずれの分割領域に属するものか否かを特定する分割領域特定部１３３３を含む。
【００８４】
具体的には、分割領域特定部１３３３は、例えば、フレームにおける分割領域の範囲を定義したテーブルを有し、該テーブルを参照して、位置情報生成部１３１から受け取った位置信号ｐ（ｘ，ｙ）に基づいて、該位置信号ｐ（ｘ，ｙ）が示すピクセルが属する分割領域を特定し、該特定した分割領域に対応するヒストグラム作成部１３３１’に該位置信号ｐ（ｘ，ｙ）を出力する。
【００８５】
複数のヒストグラム作成部１３３１’のそれぞれは、位置信号ｐ（ｘ，ｙ）を受け取ると、分割領域をさらに細かく分割した領域（以下「細分割領域」という。）ごとの輝度値のヒストグラムを作成する。つまり、本実施形態のヒストグラム作成部１３３１’は、フレームを分割した各分割領域に対する輝度値Ｂｒのヒストグラムを作成するのではなく、分割領域の各細分割領域に対する輝度値Ｂｒのヒストグラムを作成する。複数のヒストグラム作成部１３３１’のそれぞれは、作成した輝度値Ｂｒのヒストグラムを、対応する塗りつぶし率決定部１３３２に出力する。
【００８６】
複数の塗りつぶし率決定部１３３２のそれぞれは、対応する分割領域における細分割領域ごとの輝度値のヒストグラムに基づいて、対応する細分割領域の塗りつぶし率Ｆ（ｉ）を決定する。
【００８７】
係数決定部１３４’は、例えば、複数のフレーム係数決定部１３４１（１）乃至１３４１（ｎ）と、画素係数決定部１３４２とを含む。また、本実施形態では、隣接する分割領域同士の境界の近傍の塗りつぶし率Ｆを考慮するため、係数決定部１３４’は、平滑化係数決定部１３４３と、境界定義部１３４４とを含む。
【００８８】
複数のフレーム係数決定部１３４１は、塗りつぶし率算出部１３３’の各ヒストグラム作成部１３３１（１）’乃至１３３１（ｎ）’に対応するように（すなわち、各分割領域に対応するように）設けられている。複数のフレーム係数決定部１３４１（１）乃至１３４１（ｎ）のそれぞれは、対応する分割領域の塗りつぶし率Ｆ１乃至Ｆｎに基づいて、上述したように、フレーム係数ｆ１乃至ｆｎを決定する。
【００８９】
平滑化係数決定部１３４３は、表示されるべきピクセルが分割領域の境界の近傍に位置するか否かに応じた平滑化係数ｊを決定する。具体的には、平滑化係数決定部１３４３は、入力される位置信号ｐ（ｘ，ｙ）が示すピクセルについて、例えば境界定義部１３４４を参照して、いずれの分割領域に属するかを特定するとともに、特定した分割領域の境界から所定の距離範囲内に位置するか否か、すなわち、境界の近傍に位置するか否かの判断を行う。平滑化係数決定部１３４３は、該ピクセルが境界の近傍に位置しないと判断する場合には、該ピクセルが属する分割領域に対応するフレーム係数決定部１３４１が出力するフレーム係数ｆの値を平滑化係数ｊとして決定する。一方、平滑化係数決定部１３４３は、該ピクセルが境界の近傍に位置すると判断する場合には、該境界を形成する各分割領域に対応する各フレーム係数決定部１３４１が出力する各フレーム係数ｆに基づいて、平滑化係数ｊを決定する。なお、平滑化係数ｊの決定方法の詳細については後述する。
【００９０】
境界定義部１３４４は、例えば、フレームにおける分割領域の範囲を定義するとともに、各分割領域の境界の近傍の範囲を定義するテーブルである。
【００９１】
画素係数決定部１３４２は、ピクセルの輝度値Ｂｒと、平滑化係数決定部１３４３によって決定される平滑化係数ｊとに基づいて画素係数ｇを決定する。画素係数ｇの決定方法に関しては、フレーム係数ｆの代わりに平滑化係数ｊを用いることを除いて、上述した通りであるため、その説明を省略する。
【００９２】
以上のように構成される画像処理装置１３０’は、表示されるべき画像の各ピクセルの輝度値Ｂｒに基づいてフレームの分割領域ごとの塗りつぶし率Ｆを決定し、ピクセルが境界の近傍に位置するかに応じて決定される平滑化係数ｊを決定し、該ピクセルの輝度値Ｂｒ及び該平滑化係数ｊに基づいて画素係数ｇを決定する。続いて、画像処理装置１３０’は、該画素係数ｇと、該ピクセルの各色成分の色度及び位置情報に従う基準補正量αとに基づいて、データ信号Ｄが示す該ピクセルの各色成分の色度に対する補正量Δαを決定し、該ピクセルの各色成分の色度の補正を行うことによって、該ピクセルの輝度値を補正する。すなわち、画像処理装置１３０’は、表示されるべきピクセルが分割領域の境界の近傍に位置しない場合、該ピクセルが属する分割領域のフレーム係数ｆを平滑化係数ｊとして決定する一方、表示されるべきピクセルが分割領域の境界の近傍に位置する場合、該境界を形成する各分割領域の各フレーム係数ｆに基づいて、平滑化係数ｊを決定する。
【００９３】
したがって、画像処理装置１３０’は、フレームを分割した分割領域ごとの画像の特徴に基づいて、各ピクセルの各色成分の色度に対する補正量Δαを決定するので、画像の特徴によっては各色成分の色度の補正を行わないように（補正量Δα＝０）制御することができるとともに、より高精度に各色成分の色度の補正を行うため、より高精度に輝度の補正を行うことができる。また、画像処理装置１３０’は、平滑化係数ｊを用いているので、隣接する分割領域どうしで補正量Δαが異なることによって分割領域の境界が目立ってしまうという不具合を防止することができる。
【００９４】
図６は、本発明の第２の実施形態に係る画像処理装置において処理されるフレームの分割領域の境界の近傍を説明するための図である。具体的には、同図（ａ）は、フレームの分割領域の境界を含むある注目領域を示し、同図（ｂ）は、該注目領域の拡大図を示している。
【００９５】
同図（ａ）に示すように、フレーム６００は、４つの分割領域６０１乃至６０４に分割され、分割領域６０１乃至６０４のそれぞれは、複数の細分割領域２０１、２０２、…に分割されている。また、隣接する分割領域の境界は、それぞれ、境界ｂ１２、ｂ１３、ｂ２４及びｂ３４として示されている。また、符号ｂ１２３４は、分割領域６０１乃至６０４の境界と呼ぶことにする。本例では、分割領域６０１乃至６０４のそれぞれに対してフレーム係数ｆ１乃至ｆ４が決定されているものとする。
【００９６】
同図（ａ）の注目領域６０５の拡大図を示す同図（ｂ）を参照して、フレーム内のピクセルＱ１及びＱ２を考える。なお、本例において、境界の近傍とは、表示されるべきピクセルが分割領域６０１乃至６０４の各境界ｂ１２、ｂ１３、ｂ２４、及びｂ３４から距離ｒの範囲内をいうものとする。図中、分割領域６０１乃至６０４の境界から距離ｒに破線が描かれている。
【００９７】
同図（ｂ）に示すように、分割領域６０１内のピクセルＱ１は、分割領域６０３との境界ｂ１３から垂直方向に距離ｙ（ｙ＜ｒ）だけ離れて位置しており、したがって、分割領域６０１と６０３との境界ｂ１３の近傍に位置するピクセルである。また、分割領域６０１内のピクセルＱ２は、分割領域６０２との境界から水平方向に距離ｘ（ｘ＜ｙ）かつ分割領域６０３との境界から距離ｙだけ離れて位置している。したがって、ピクセルＱ２は、境界ｂ１２の近傍、かつ、境界ｂ１３近傍に位置するピクセルである。この場合、ピクセルＱ２は、境界ｂ１２３４から水平方向に距離ｘ、垂直方向に距離ｙだけ離れて位置していることから、分割領域６０４との境界の近傍であるとみなす。
【００９８】
図７は、本発明の一実施形態に係る画像処理装置における平滑化係数の算出方法を説明するための図である。
【００９９】
まず、フレーム係数決定部１３４１（１）乃至１３４１（ｎ）のそれぞれは、対応する塗りつぶし率決定部１３３２（１）乃至１３３２（ｎ）から出力される塗りつぶし率Ｆ１乃至Ｆｎに基づいて、上述した＜式１＞に従って、対応するフレーム係数ｆ１乃至ｆｎを決定する。
【０１００】
平滑化係数決定部１３４３は、上述したように、表示されるべきピクセルが分割領域の境界の近傍に位置するか否かに応じた平滑化係数ｊを決定する。すなわち、平滑化係数決定部１３４３は、入力される位置信号ｐ（ｘ，ｙ）が示すピクセルが、境界の近傍に位置しないと判断する場合、該ピクセルが属する分割領域に対応するフレーム係数決定部１３４１が出力するフレーム係数ｆの値を平滑化係数ｊとして決定する。一方、平滑化係数決定部１３４３は、該ピクセルが、いずれかの分割領域の境界の近傍に位置すると判断する場合、該境界を形成する各分割領域に対応する各フレーム係数決定部１３４１が出力する各フレーム係数ｆに基づいて、平滑化係数ｊを決定する。例えば、図（ｂ）に示したようなピクセルＱ２の場合、分割領域６０１乃至６０４のそれぞれに対応するフレーム係数決定部１３４１が出力するフレーム係数ｆ１乃至ｆ４に基づいて、平滑化係数ｊが決定される。
【０１０１】
より具体的には、平滑化係数決定部１３４３は、表示されるべきピクセルが各分割領域の境界から垂直方向及び水平方向のいずれか一方について所定の距離内にあると判断する場合（図６（ｂ）におけるＱ１である場合）、下記の＜式５＞に従い、平滑化係数ｊを決定する。
ｊ＝（ｆ１−ｆ３）×ｙ／（２×ｒ）＋（ｆ１＋ｆ３）／２      …＜式５＞
【０１０２】
一方、平滑化係数決定部１３４３は、該ピクセルが各分割領域の境界から垂直方向及び水平方向の両方について所定の距離内にあると判断する場合（図６（ｂ）におけるＱ２での場合）、下記の＜式６＞に従って、平滑化係数ｊを決定する。
ｊ＝（２×ｒ−ｙ）×（２×ｒ−ｘ）×ｆ１＋（ｒ＋ｘ）×（ｒ−ｙ）×ｆ２＋（ｒ−ｘ）×（ｒ＋ｙ）×ｆ３＋（ｒ−ｘ）×（ｒ−ｙ）×ｆ４      …＜式６＞
【０１０３】
平滑化係数ｊは、フレーム係数ｆ１乃至ｆ４の値を線形補間することによって決定されても良い。あるいは、多項式や指数関数、三角関数等、又はこれらの組み合わせによって決定されても良い。
【０１０４】
次に、画素係数決定部１３４２は、ピクセルの輝度値Ｂｒ及び平滑化係数決定部１３４３が決定した平滑化係数ｊに基づいて、上述した＜式２＞に従い、画素係数ｇを決定する。ただし、＜式２＞について、本実施形態では、フレーム係数ｆの代わりに平滑化係数ｊを用いる。画像係数決定部１３４２は、決定した画像係数ｇを上述した補正量決定部１３６１に出力する。
【０１０５】
図８は、本発明の第２の実施形態における画像処理装置の動作を示すフローチャートである。
【０１０６】
同図を参照して、画像処理装置１３０’は、まず、送信装置１１０から送信される表示されるべき画像の各ピクセルについて輝度値Ｂｒを算出する（Ｓ８０１）。
【０１０７】
次に、画像処理装置１３０’は、各分割領域について、ステップＳ８０１の処理で算出した各ピクセルの輝度値Ｂｒに基づいて、塗りつぶし率Ｆ１乃至Ｆｎを決定する（Ｓ８０２）。画像処理装置１３０’は、各分割領域について、対応する塗りつぶし率Ｆ１乃至Ｆｎに基づいてフレーム係数ｆ１乃至ｆｎを決定する（Ｓ８０３）。
【０１０８】
画像処理装置１３０’は、続いて、表示されるべきピクセルが分割領域の境界の近傍に位置するか否かを判断する（Ｓ８０４）。画像処理装置１３０’は、ピクセルが分割領域の境界の近傍に位置すると判断する場合（Ｓ８０４のＹｅｓ）、該境界を形成する分割領域のフレーム係数ｆに基づいて、平滑化係数ｊを決定する（Ｓ８０５）。これに対して、画像処理装置１３０’は、ピクセルが境界の近傍に位置しないと判断する場合（Ｓ８０４のＮｏ）、該ピクセルが属する分割領域のフレーム係数ｆを平滑化係数ｊに決定する（Ｓ８０６）。
【０１０９】
画像処理装置１３０’は、平滑化係数ｊを決定すると、次に、平滑化係数ｊとピクセルの輝度値Ｂｒとに基づいて、画素係数ｇを決定し（Ｓ８０７）、さらに、決定した画素係数ｇと、位置信号ｐ（ｘ，ｙ）に基づいて決定される基準補正量αとに基づいて補正量Δαを決定する（Ｓ８０８）。
【０１１０】
そして、画像処理装置１３０’は、決定した補正量Δαに基づいて、データ信号Ｄに対して補正を行うことによって、補正データ信号Ｄ’を生成する（Ｓ８０９）。
【０１１１】
以上のように、画像処理装置１３０’は、フレームをさらに分割した分割領域ごとの画像の特徴に基づいて、各ピクセルの各色成分の色度に対する補正量Δαを決定するので、画像の特徴によっては各色成分の色度の補正を行わないように（補正量Δα＝０）制御することができるとともに、より高精度に各色成分の色度の補正を行うため、より高精度に輝度の補正を行うことができる。また、画像処理装置１３０’は、平滑化係数ｊを用いているので、隣接する分割領域どうしで補正量Δαが異なることによって分割領域の境界が目立ってしまうという不具合を防止することができる。
【０１１２】
［第３の実施形態］
本実施形態は、フレームの各分割領域が、輝度むらを有する領域であるか否かに基づいて画素係数ｇを決定することを特徴とする。また、本実施形態は、表示されるピクセルが属する分割領域及びこれに隣接する分割領域の塗りつぶし係数Ｆに基づいて、画素係数ｇを決定することを特徴とする。
【０１１３】
図９は、本発明の第３の実施形態に係る画像伝送システムの概略構成を示す図である。同図に示すように、本実施形態の受信装置１２０’’は、各分割領域が輝度むらを有する領域であるか否かに関する情報（以下「輝度むら情報」）を記憶する輝度むら情報記憶部１３７を含む。なお、同図では、上記実施形態と同じ構成要素については、同じ符号が付され、したがって、その説明を適宜省略する。
【０１１４】
輝度むら情報記憶部１３７は、例えば、予め測定され評価された表示パネル（フレーム）の輝度むらに基づいて作成された輝度むら情報ＵＥを記憶するテーブルである。輝度むら情報記憶部１３７は、後述するように、画素係数決定部１３４２’’によって参照される。
【０１１５】
係数決定部１３４’’は、例えばｎ個のフレーム係数決定部１３４１（１）乃至１３４１（ｎ）と、画素係数決定部１３４２’’と、平滑化係数決定部１３４３と、境界定義部１３４４とを含んで構成される。
【０１１６】
画素係数決定部１３４２’’は、表示されるべきピクセルに関連する分割領域の輝度むら情報ＵＥをさらに用いて、画素係数ｇを決定する。具体的には、画素係数決定部１３４２’’は、まず、入力される位置信号ｐ（ｘ，ｙ）に従って、境界定義部１３４４を参照し、表示されるべきピクセルが属する分割領域を特定する。次に、画素係数決定部１３４２’’は、該特定した分割領域に対応する塗りつぶし率Ｆが最小基準値Ｆｍｉｎ以上であるか否かを判断する。画素係数決定部１３４２’’は、該特定した分割領域に対応する塗りつぶし率Ｆが最小基準値Ｆｍｉｎ未満であると判断する場合、画素係数ｇの値をデータ信号Ｄ及び補正データ信号Ｄ’が同じ信号になるような値（例えば０）に決定する。これに対して、画素係数決定部１３４２’’は、該特定した分割領域に対応する塗りつぶし率Ｆが最小基準値Ｆｍｉｎ以上であると判断する場合、輝度むら情報記憶部１３７を参照して、該ピクセルが属する該特定した分割領域が輝度むらを有する領域であるか否かを判断する。そして、画素係数決定部１３４２’’は、該特定した分割領域が輝度むらを有する領域であるか否かに応じて、以下に述べるように、画素係数ｇを決定する。
【０１１７】
すなわち、画素係数決定部１３４２’’は、該特定した分割領域が輝度むらを有すると判断する場合、平滑化係数決定部１３４３から出力される平滑化係数ｊ及びピクセルの輝度値Ｂｒに基づいて画素係数ｇを決定する。
【０１１８】
これに対して、画素係数決定部１３４２’’は、該特定した分割領域が輝度むらを有さないと判断する場合、さらに、該特定した分割領域に隣接する分割領域が輝度むらを有し、かつ、該隣接する分割領域に対応する塗りつぶし率Ｆが最小基準値Ｆｍｉｎ以上であるか否かを判断する。画素係数決定部１３４２’’は、該隣接する分割領域に輝度むらがあり、かつ、該隣接する分割領域に対応する塗りつぶし率Ｆが最小基準値Ｆｍｉｎ以上であると判断する場合、平滑化係数ｊ及び輝度値Ｂｒに基づいて、画素係数ｇの値を決定する一方、該隣接する分割領域に輝度むらがないか、又は、該隣接する分割領域に対応する塗りつぶし率Ｆが最小基準値Ｆｍｉｎ未満であると判断する場合、画素係数ｇの値をデータ信号Ｄ及び補正データ信号Ｄ’が同じ信号になるような値（例えば０）に決定する。
【０１１９】
以上のように構成される画像処理装置１３０’’は、表示されるべきピクセルが属する分割領域が塗りつぶされているか否かと、該ピクセルが属する分割領域に隣接する分割領域の少なくとも１つが輝度むらを有する分割領域であり、かつ、該ピクセルが属する分割領域に隣接する分割領域が塗りつぶされているか否かとによって、画像に対して補正を行うか否かを決定する。これにより、画像処理装置１３０’’は、画像の特徴（例えば塗りつぶし画像であるか否か）と、表示装置１４０の輝度むらの特性とに基づいて、画像の補正を行うか否かを決定することができる。したがって、画像処理装置１３０’’は、例えば塗りつぶされていない分割領域や、輝度むらのある分割領域が隣接しない分割領域や、塗りつぶされている分割領域が隣接しない分割領域に対しては補正を行わないように制御することができる。
【０１２０】
図１０は、本発明の第３の実施形態に係る画像処理装置におけるフレームの画像と補正量との関係を説明するための図である。フレーム内の入力画像の塗りつぶしの有無及び分割領域の輝度むらの有無と、補正量との関係を説明するための図である。
【０１２１】
同図（ａ）は、フレームが分割領域１００１及び１００２からなり、分割領域１００１には、破線１００３で囲んだような輝度むらがあることを示している。なお、本例では、説明の簡単化のため、フレームの分割領域は２個としている。上述した輝度むら情報記憶部１３７は、分割領域１００１が輝度むらを有する領域であり、分割領域１００２が輝度むらを有さない領域であることを記憶する。
【０１２２】
同図（ｂ）は、表示されるべきピクセルが属する分割領域の塗りつぶし状態と補正量との関係を示している。本例では、分割領域に対応する塗りつぶし率Ｆの値が最小基準値Ｆｍｉｎ未満である場合、該分割領域の塗りつぶし状態は、塗りつぶされていないとし、該塗りつぶし率Ｆの値が最小基準値Ｆｍｉｎ以上である場合、塗りつぶされているとしている。
【０１２３】
［表示されるべきピクセルが分割領域１００１に属する場合］
同図（ｂ）を参照して、画像処理装置１３０’’は、表示されるべきピクセルが分割領域１００１（すなわち、輝度むらを有する分割領域）に属すると判断する場合、分割領域１００２が塗りつぶされているか否かに拘わらず、該ピクセルに対する補正の要否を決定する。画像処理装置１３０’’は、平滑化係数ｊ、輝度値Ｂｒ及び分割領域１００１の塗りつぶし率Ｆに基づいて画素係数ｇの値を決定し、該画素係数ｇ及び基準補正量αに基づいて決定される補正量Δαに基づいて、該ピクセルの各色成分の色度を補正することによって、該ピクセルの輝度を補正する。この場合、補正量Δαは、分割領域１００１が塗りつぶされていれば、分割領域１００１及び１００２の各塗りつぶし率Ｆ１乃至Ｆ２及び該ピクセルの輝度値Ｂｒに依存する一方で、分割領域１００１が塗りつぶされていなければ、データ信号Ｄ及び補正データ信号Ｄ’が同じ信号になるような値（例えば０）となる。
【０１２４】
［表示されるべきピクセルが分割領域１００２に属する場合］
画像処理装置１３０’’は、表示されるべきピクセルが分割領域１００２（すなわち、輝度むらを有さない分割領域）に属すると判断する場合、分割領域１００２に隣接する分割領域１００１が塗りつぶされているか否かに基づいて、該ピクセルに対する補正の要否を決定する。画像処理装置１３０’’は、分割領域１００１の画像が塗りつぶされていないと判断する場合、画素係数ｇを０に決定する。これに対して、画像処理装置１３０’’は、分割領域１００１が塗りつぶされていると判断する場合は、平滑化係数ｊ、輝度値Ｂｒ及び分割領域１００２の塗りつぶし率Ｆに基づいて、画素係数ｇを決定し、該画素係数ｇ及び基準補正量αに基づいて決定される補正量Δαに基づいて、該ピクセルの各色成分の色度を補正することによって、該ピクセルの輝度を補正する。この場合、補正量Δαは、分割領域１００２が塗りつぶされていれば、分割領域１００１及び１００２の各塗りつぶし率Ｆ１乃至Ｆ２及び該ピクセルの輝度値Ｂｒに依存する一方、分割領域１００２が塗りつぶされていなければ、データ信号Ｄ及び補正データ信号Ｄ’が同じ信号になるような値（例えば０）となる。
【０１２５】
図１１は、本発明の第３の実施形態に係る画像処理装置の動作を示すフローチャートである。画像処理装置１３０’’は、各分割領域について塗りつぶし率Ｆ１乃至Ｆｎを決定する（Ｓ１１０１）。
【０１２６】
画像処理装置１３０’’は、各分割領域について、各分割領域に対応する塗りつぶし率Ｆ１乃至Ｆｎに基づいてフレーム係数ｆ１乃至ｆｎを決定する（Ｓ１１０２）。画像処理装置１３０’’は、表示されるべきピクセルが属する分割領域が塗りつぶされているか否かを判断する（Ｓ１１０３）。画像処理装置１３０’’は、該ピクセルが属する分割領域が塗りつぶされていないと判断する場合（Ｓ１１０３のＮｏ）、ステップＳ１１０６の処理に進む。これに対して、画像処理装置１３０’’は、該ピクセルが属する分割領域が塗りつぶされていると判断する場合（Ｓ１１０３のＹｅｓ）、画像処理装置１３０’’は、表示されるべきピクセルが属する分割領域が輝度むらを有するか否かを判断する（Ｓ１１０４）。画像処理装置１３０’’は、表示されるべきピクセルが属する分割領域が輝度むらを有すると判断する場合（Ｓ１１０４のＮｏ）、ステップＳ１１０７の処理に進む。これに対して、画像処理装置１３０’’は、表示されるべきピクセルが属する分割領域が輝度むらを有さないと判断する場合（Ｓ１１０４のＹｅｓ）、塗りつぶされていて、かつ、輝度むらを有する分割領域が、該ピクセルが属する分割領域のいずれかに隣接するか否かを判断する（Ｓ１１０５）。画像処理装置１３０’’は、塗りつぶされていて、かつ、輝度むらを有する分割領域が、該ピクセルが属する分割領域のいずれにも隣接しないと判断する場合（Ｓ１１０５のＹｅｓ）、画素係数ｇをデータ信号Ｄ及び補正データ信号Ｄ’が同じ信号となるような値（例えば０）に決定して（Ｓ１１０６）、ステップＳ１１０９の処理に進む。これに対して、画像処理装置１３０’’は、塗りつぶされていて、かつ、輝度むらを有する分割領域が、該ピクセルが属する分割領域に少なくとも１つ以上隣接すると判断する場合（Ｓ１１０５のＮｏ）、ステップＳ１１０７の処理に進む。
【０１２７】
画像処理装置１３０’’は、表示されるべきピクセルのフレームにおける位置と、フレーム係数ｆ１乃至ｆｎとに基づいて、平滑化係数ｊを決定する（Ｓ１１０７）。画像処理装置１３０’’は、決定した平滑化係数ｊと、該ピクセルの輝度値Ｂｒとに基づいて、画素係数ｇを決定し（Ｓ１１０８）、ステップＳ１１０９の処理に進む。
【０１２８】
画像処理装置１３０’’は、決定した画素係数ｇと、データ信号Ｄ及び位置信号ｐ（ｘ，ｙ）に基づいて決定される基準補正量αとに基づいて補正量Δαを決定する（Ｓ１１０９）。画像処理装置１３０’’は、決定した補正量Δαに基づいて、データ信号Ｄに対して補正を行い、補正データ信号Ｄ’を生成する（Ｓ１１１０）。
【０１２９】
上述したように、画像処理装置１３０’’は、表示されるべきピクセルが属する分割領域が塗りつぶされているか否かと、該ピクセルが属する分割領域に隣接する分割領域の少なくとも１つが輝度むらのある領域であり、かつ、該ピクセルが属する分割領域に隣接する分割領域が塗りつぶされているか否かとによって、画像に対して補正を行うか否かを決定する。これにより、画像処理装置１３０’’は、画像の特徴（例えば塗りつぶし画像であるか否か）と、表示装置１４０の輝度むらの特性とに基づいて、画像の補正を行うか否かを決定することができる。したがって、画像処理装置１３０’’は、例えば塗りつぶされている分割領域や、輝度むらのある分割領域が隣接しない分割領域や、塗りつぶされている分割領域が隣接しない分割領域に対しては補正を行わないように制御することができる。
【０１３０】
上記各実施形態は、本発明を説明するための例示であり、本発明をこれらの実施形態にのみ限定する趣旨ではない。本発明は、その要旨を逸脱しない限り、さまざまな形態で実施することができる。
【０１３１】
例えば、上記実施形態では、表示されるべき画像のピクセルの輝度を補正するものとしたが、本発明は、その色相を補正するように構成されても良い。また、本発明は、１階調だけでなく、異なる階調（例えば、光出力が３０％、７０％及び１００％）ごとに輝度や色相を補正するように構成されても良い。
【０１３２】
また、本明細書に開示される方法においては、その結果に矛盾が生じない限り、ステップ、動作又は機能を並行して又は異なる順に実施しても良い。説明されたステップ、動作及び機能は、単なる例として提供されており、ステップ、動作及び機能のうちのいくつかは、発明の要旨を逸脱しない範囲で、省略でき、また、互いに結合させることで一つのものとしてもよく、また、他のステップ、動作又は機能を追加してもよい。
【０１３３】
また、本明細書では、さまざまな実施形態が開示されているが、一の実施形態における特定のフィーチャ（技術的事項）を適宜改良しながら、他の実施形態に追加し、又は該他の実施形態における特定のフィーチャと置換することができ、そのような形態も本発明の要旨に含まれる。
【０１３４】
さらに、以下のような形態も、本発明の要旨に含まれる。
【０１３５】
（付記１）
送信装置から送信される画像に関するデータ信号を処理し、該データ信号を表示装置に出力する画像処理装置であって、前記データ信号に基づいて、前記データ信号が示す各ピクセルの輝度値をそれぞれ算出する輝度値算出部と、前記データ信号に基づいて、前記データ信号が示す各ピクセルの前記表示装置における所定のフレームにおける位置情報を生成する位置情報生成部と、前記所定のフレームにおける複数の分割領域のそれぞれに対して、前記位置情報及び前記輝度値に基づいて、所定の塗りつぶし率を算出する塗りつぶし率算出部と、複数の前記所定の塗りつぶし率の少なくとも１つと前記ピクセルの輝度値とに基づいて、該ピクセルの所定の画素係数を決定する係数決定部と、前記データ信号が示すピクセルの各色成分の色度及び前記位置情報に基づく基準補正量と、前記所定の画素係数とに基づいて補正量を決定する補正量決定部と、前記データ信号が示すピクセルの各色成分の色度を前記補正量に従って補正することにより補正データ信号を生成し、出力する演算部と、を備える画像処理装置。
【０１３６】
（付記２）
前記塗りつぶし率算出部は、前記各分割領域を分割した各細分割領域におけるピクセル群の輝度値に基づく該各細分割領域に対するヒストグラムに基づいて、前記各細分割領域に対する塗りつぶし率を決定し、該決定した各細分割領域に対する塗りつぶし率に基づいて、前記各分割領域に対する前記所定の塗りつぶし率を決定する、付記１記載の画像処理装置。
【０１３７】
（付記３）
前記係数決定部は、前記各分割領域のうちの前記ピクセルが属する特定の分割領域に対する前記所定の塗りつぶし率に基づいて、前記所定の画素係数を決定する、付記１記載の画像処理装置。
【０１３８】
（付記４）
送信装置から送信される画像に関するデータ信号を処理し、該データ信号に従う画像を出力する受信装置であって、前記データ信号に基づいて、前記データ信号が示す各ピクセルの輝度値をそれぞれ算出する輝度値算出部と、前記データ信号に基づいて、前記データ信号が示す各ピクセルの前記表示装置における所定のフレームにおける位置情報を生成する位置情報生成部と、前記所定のフレームにおける複数の分割領域のそれぞれに対して、前記位置情報及び前記輝度値に基づいて、所定の塗りつぶし率を算出する塗りつぶし率算出部と、複数の前記所定の塗りつぶし率の少なくとも１つと前記ピクセルの輝度値とに基づいて、該ピクセルの所定の画素係数を決定する係数決定部と、前記データ信号が示すピクセルの各色成分の色度及び前記位置情報に基づく基準補正量と、前記所定の画素係数とに基づいて補正量を決定する補正量決定部と、前記データ信号が示すピクセルの各色成分の色度を前記補正量に従って補正することにより補正データ信号を生成し、出力する演算部と、前記補正データ信号が示す表示すべき画像を表示する前記表示装置とを備える受信装置。
【産業上の利用可能性】
【０１３９】
本発明は、画像を伝送する画像伝送システムの分野に広く利用することができる。
【符号の説明】
【０１４０】
１００…画像伝送システム
１１０…送信装置
１２０…受信装置
１３０…画像処理装置
１３１…位置情報生成部
１３２…輝度値算出部
１３３…塗りつぶし率算出部
１３３１…ヒストグラム作成部
１３３２…塗りつぶし率決定部
１３３３…分割領域特定部
１３４…係数決定部
１３４１…フレーム係数決定部
１３４２…画素係数決定部
１３４３…平滑化係数決定部
１３４４…境界定義部
１３５…基準補正量決定部
１３６…補正部
１３６１…補正量決定部
１３６２…演算部
１３７…輝度むら情報記憶部
１４０…表示装置
２０１，２０２，２０３，２０４…分割領域
２０５…画像領域
６０１，６０２，６０３，６０４…分割領域
６０５…注目領域
１００１，１００２…分割領域
１００３…破線
【図１】
0006633355.tif 000002
【図２】
0006633355.tif 000003
【図３】
0006633355.tif 000004
【図４】
0006633355.tif 000005
【図５】
0006633355.tif 000006
【図６】
0006633355.tif 000007
【図７】
0006633355.tif 000008
【図８】
0006633355.tif 000009
【図９】
0006633355.tif 000010
【図１０】
0006633355.tif 000011
【図１１】
0006633355.tif 000012